(57)【要約】【課題】第１部材に第２部材を簡単にかつ確実に取り付けることができるクリップを提供することである。【解決手段】実施形態のクリップおよびエレベータ用装置機器の設置構造は、作用点用の締め板と、支点用のボルトおよびナットと、力点用のボルト、を備える。作用点用の締め板は、第１部材を第２部材と共に挟み込む。支点用のボルトおよびナットは、締め板および第２部材に取り付けられている。力点用のボルトは、締め板にねじ止めされていてかつ第２部材に当接する。【選択図】        図１
2012184058.tif 000002
【特許請求の範囲】
【請求項１】
第１部材を第２部材と共に挟み込む作用点用の締め板と、
前記締め板および前記第２部材を挟みこんで取り付けられている支点用のボルトおよびナットと、
前記締め板にねじ止めされていてかつ前記第２部材に当接する力点用のボルトと、
を備え、
前記第１部材に前記第２部材をてこの原理により取り付ける、ことを特徴とするクリップ。
【請求項２】
鋼管からなる第２部材に設けられている取付部と、
形鋼からなる第１部材のフランジ部を前記取付部と共に挟み込む当接部が設けられている作用点用の締め板と、
前記締め板および前記取付部を挟み込んで取り付けられている支点用のボルトおよびナットと、
前記締め板にねじ止めされていてかつ前記取付部に当接する力点用のボルトと、
を備え、
前記第１部材に前記第２部材をてこの原理により取り付ける、ことを特徴とするクリップ。
【請求項３】
エレベータ用の装置機器を設置する構造において、
建物に固定される第１部材と、
エレベータ用の装置機器が設置される第２部材と、
前記第１部材に前記第２部材をてこの原理により取り付ける前記請求項１に記載のクリップと、
を備える、ことを特徴とするエレベータ用装置機器の設置構造。
【請求項４】
エレベータ用の装置機器を設置する構造において、
建物に固定される形鋼からなる第１部材と、
エレベータ用の装置機器が設置される鋼管からなり、かつ、取付部が設けられている第２部材と、
前記第１部材に前記第２部材をてこの原理により取り付ける前記請求項２に記載のクリップと、
を備える、ことを特徴とするエレベータ用装置機器の設置構造。
【発明の詳細な説明】
【技術分野】
【０００１】
本発明の実施形態は、クリップおよびエレベータ用装置機器の設置構造に関する。
【背景技術】
【０００２】
第１部材に第２部材をクリップにより取り付ける場合、たとえば、建物に固定される第１部材にエレベータ用の装置機器が設置される第２部材をクリップにより取り付ける場合においては、簡単にかつ確実に取り付ける必要がある。
【先行技術文献】
【特許文献】
【０００３】
【特許文献１】特開２００７−１７１１号公報
【発明の概要】
【発明が解決しようとする課題】
【０００４】
本発明が解決しようとする課題は、第１部材に第２部材を簡単にかつ確実に取り付けることができるクリップを提供することである。
【課題を解決するための手段】
【０００５】
実施形態のクリップは、作用点用の締め板と、支点用のボルトおよびナットと、力点用のボルト、を備える。作用点用の締め板は、第１部材を第２部材と共に挟み込む。支点用のボルトおよびナットは、締め板および第２部材を挟み込んで取り付けられている。力点用のボルトは、締め板にねじ止めされていてかつ第２部材に当接する。
【図面の簡単な説明】
【０００６】
【図１】図１は、実施形態１に係るクリップを示す断面図である。
【図２】図２は、実施形態１に係るクリップおよびエレベータ用装置機器の設置構造の概略作用例を示す取付状態図である。
【図３】図３は、実施形態１に係るクリップおよびエレベータ用装置機器の設置構造の概略作用例を示す取付前の状態図である。
【図４】図４は、図２におけるＩＶ矢視図である。
【図５】図５は、実施形態１に係るクリップおよびエレベータ用装置機器の設置構造の概略作用例を示す取付状態図である。
【図６】図６は、図５におけるＶＩ矢視図である。
【図７】図７は、実施形態２に係るクリップを示す断面図である。
【図８】図８は、実施形態２に係るクリップおよびエレベータ用装置機器の設置構造の概略作用例を示す取付状態図である。
【発明を実施するための形態】
【０００７】
「実施形態１」
以下、本実施形態１に係るクリップおよびエレベータ用装置機器の設置構造を図１〜図６に基づいて詳細に説明する。
【０００８】
図中における符号１は、本実施形態１に係るエレベータ用装置機器の設置構造の第１部材である。図中における符号２は、本実施形態１に係るエレベータ用装置機器の設置構造の第２部材である。図中における符号３は、本実施形態１に係るクリップである。
【０００９】
前記第１部材１は、たとえば既設のマシンビームである。前記第１部材１は、建物の構造部材４に、２本平行（もしくはほぼ平行）に固定されている。前記第１部材は、たとえば形鋼、本実施形態では、Ｉ形鋼からなる。Ｉ形鋼の前記第１部材１は、上下のフランジ部５と、中間のウェブ部６と、から構成されている。
【００１０】
前記第２部材２は、たとえば取付部材のフレームである。前記第２部材２には、たとえば巻上機などのエレベータ用の装置機器７が設置されている。前記第２部材２は、たとえば鋼管、本実施形態では、断面が角形の中空状の鋼管からなる。前記第２部材２の左右両側面には、水平板形状の取付部８が一体に設けられている。前記取付部８には、透孔（もしくは凹部や溝）９が設けられている。
【００１１】
前記第２部材２の左右両側面と前記取付部８とには、三角板形状の補強部１０が設けられている。なお、前記取付部８および前記補強部１０は、前記第２部材２の左側面または右側面のうちいずれか一方の側面にのみ設けても良い。
【００１２】
前記クリップ３は、作用点用の締め板１１と、支点用のボルト１２およびナット１３と、力点用のボルト１４と、を備える。
【００１３】
前記締め板１１は、前記第１部材１の前記フランジ部５を第２部材２の前記取付部８と共に挟み込む。前記締め板１１の一端部には、前記第１部材の前記フランジ部５に当接する作用点としての当接部１５が一体に設けられている。前記当接部１５の当接面は、前記第１部材１の上フランジ部５の傾斜下面の傾斜とほぼ同角度（勾配）で傾斜している。前記締め板１１の中央部には、挿通孔１６が設けられている。前記締め板１１の他端部には、ねじ孔１７が設けられている。
【００１４】
前記支点用のボルト１２およびナット１３は、前記締め板１１および前記第２部材２の前記取付部８に取り付けられている。すなわち、前記支点用のボルト１２は、前記締め板１１の前記挿通孔１６および前記取付部８の前記透孔９に挿通されている。前記支点用のボルト１２と前記締め板１１の前記挿通孔１６および前記取付部８の前記透孔９との間には、若干の隙間を有する。前記支点用のボルト１２には、前記支点用のナット１３とロックナット（緩み防止ナット）１８がワッシャ１９およびスプリングワッシャ２０を介してねじ込まれている。
【００１５】
前記力点用のボルト１４は、前記締め板１１にねじ止めされていてかつ前記第２部材２の前記取付部８に当接する。すなわち、前記力点用のボルト１４は、前記締め板１１の前記ねじ孔１７にねじ込まれている。前記力点用のボルト１４には、ロックナット（緩み防止ナット）２１がワッシャ２２およびスプリングワッシャ２３を介してねじ込まれている。
【００１６】
前記クリップ３のてこの原理は、第１種てこの原理である。すなわち、作用点は、前記第１部材１の上フランジ部５の傾斜下面に当接する前記締め板１１の一端部の上面（前記当接部１５の当接面）である。力点は、前記力点用のボルト１４がねじ込まれている前記締め板１１の他端部である。支点は、前記作用点と前記力点との間であって、前記支点用のボルト１２に装着されているワッシャ１９に当接する前記締め板１１の中央部の下面である。
【００１７】
実施形態１のクリップ３およびエレベータ用装置機器の設置構造は、以上のごとき構成からなり、以下、その作用について説明する。
【００１８】
まず、建物の構造部材４に２本平行（もしくはほぼ平行）に固定されている第１部材１の上に２本の第２部材２を相互に平行（もしくはほぼ平行）に載置する。このとき、第１部材１の上フランジ部５の上面に第２部材２の取付部８の下面を載置する。かつ、第１部材１の上フランジ部５に第２部材２の取付部８の透孔９を近接する。そして、２本の第１部材１と２本の第２部材２とは、相互に直交（もしくはほぼ直交）して、井形形状をなす。
【００１９】
つぎに、第１部材１の上フランジ部５の傾斜下面にクリップ３の締め板１１の当接部１５の傾斜当接面を当接させる。このとき、第１部材１の上フランジ部５の傾斜下面とクリップ３の締め板１１の当接部１５の傾斜当接面とは、ほぼ同角度（勾配）で傾斜しているので、第１部材１の上フランジ部５の傾斜下面とクリップ３の締め板１１の当接部１５の傾斜当接面とは、面一で当接している。第２部材２の取付部８の下面にクリップ３の力点用のボルト１４の先端を当接させる。つづいて、支点用のボルト１２を第２部材２の取付部８の透孔９およびクリップ３の締め板１１の挿通孔１６中に挿通する。この支点用のボルト１２に支点用のナット１３およびロックナット１８をワッシャ１９およびスプリングワッシャ２０を介してねじ込む。これにより、支点用のボルト１２の頭部の下面が第２部材２の取付部８の上面であって透孔９の周縁部に当接する。一方、ワッシャ１９の上面が締め板１１の下面であって挿通孔１６の周縁部に当接する。この結果、支点用のボルト１２およびナット１３を始としてロックナット１８、ワッシャ１９、スプリングワッシャ２０が締め板１１および第２部材２に取り付けられることとなる。
【００２０】
ここで、第２部材２の取付部８の透孔９が凹部や溝の場合について説明する。この場合においては、あらかじめ、支点用のボルト１２をクリップ３の締め板１１の挿通孔１６中に挿通し、かつ、この支点用のボルト１２に支点用のナット１３およびロックナット１８をワッシャ１９およびスプリングワッシャ２０を介してねじ込んでおく。そして、クリップ３の締め板１１の当接部１５を第１部材１の上フランジ部５に当接させ、かつ、クリップ３の力点用のボルト１４を第２部材２の取付部８に当接させる。それと同時に、支点用のボルト１２を第２部材２の取付部８の凹部や溝中に差し込む。これにより、支点用のボルト１２の頭部が第２部材２の取付部８の凹部や溝の周縁部に当接し、一方、ワッシャ１９が締め板１１の挿通孔１６の周縁部に当接して、支点用のボルト１２およびナット１３などが締め板１１および第２部材２に取り付けられることとなる。
【００２１】
それから、第１部材１と第２部材２とに仮固定されたクリップ３の力点用のボルト１４をねじ込む。すると、締め板１１の中間部（支点用のボルト１２およびナット１３、ロックナット１８、ワッシャ１９、スプリングワッシャ２０）を支点として、締め板１１の他端部（力点用のボルト１４、ロックナット２１、ワッシャ２２、スプリングワッシャ２３）が力点として実線矢印Ａ方向に回転する。これに伴って、締め板１１の一端部の当接部１５が作用点として実線矢印Ｂ方向に回転する。この結果、てこ（第１種てこ）の原理により、第２部材２の取付部８の下面とクリップ３の締め板１１の当接部１５の上面とが第１部材１の上フランジ部５の上下面を挟み込む。これにより、第２部材２がクリップ３を介して第１部材１に固定される。この第２部材２に装置機器７を設置する。
【００２２】
そして、力点用のボルト１４のねじ込み量を調整することにより、固定力を調整することができる。また、ロックナット１８、２１を締め付けることにより、支点用のボルト１２およびナット１３の緩み、また、力点用のボルト１４および締め板１１のねじ孔１７の緩みを防止することができる。
【００２３】
また、ロックナット１８、２１を緩め、かつ、力点用のボルト１４を緩め、さらに、支点用のボルト１２を第２部材２の取付部８の透孔９およびクリップ３の締め板１１の挿通孔１６中から抜く。すると、建物の構造部材４に固定されている第１部材１から第２部材２を取り外すことができる。
【００２４】
ここで、図２に示すように、第１部材１の上フランジ部５の一方（右側）の水平部においてクリップ３を介して第２部材２を固定するものであるが、第１部材１の上フランジ部５の他方（左側）の水平部においてクリップ３を介して第２部材２を固定しても良いし、また、第１部材１の上フランジ部５の両方（左右両側）の水平部においてクリップ３を介して第２部材２を固定しても良い。
【００２５】
また、図４に示すように、第２部材２の一方（左側）の取付部８においてクリップ３を介して第１部材１に固定するものであるが、第２部材２の他方（右側）の取付部８においてクリップ３を介して第１部材１に固定しても良いし、また、第２部材２の両方（左右両側）の取付部８においてクリップ３を介して第１部材１に固定しても良い。
【００２６】
このように、第１部材１および第２部材２の任意の位置（箇所）において任意の個数のクリップ３で第１部材１に第２部材２を固定することができる。
【００２７】
実施形態１のクリップ３およびエレベータ用装置機器の設置構造は、以上のごとき構成、作用からなり、以下、その効果について説明する。
【００２８】
実施形態１のクリップ３およびエレベータ用装置機器の設置構造は、第１部材１に第２部材２をクリップ３のてこの原理で固定するものであるから、第１部材１に第２部材２を簡単にかつ確実に取り付けることができる。
【００２９】
実施形態１のクリップ３およびエレベータ用装置機器の設置構造は、第１部材１および第２部材２の任意の位置（箇所）において任意の個数のクリップ３で第１部材１に第２部材２を固定することができるので、さらに簡単にかつ確実に第１部材１に第２部材２を取り付けることができる。たとえば、図５に示すように、２本の第１部材１の上フランジ部５の外側の水平部において左右の２個のクリップ３を介して第２部材２を取り付けることができるので、左右の２個のクリップ３における第１部材１と第２部材２とを固定する力のバランスが良い。これにより、第１部材１に第２部材２をさらに確実に取り付けることができる。
【００３０】
「実施形態２」
以下、本実施形態２に係るクリップおよびエレベータ用装置機器の設置構造を図７、図８に基づいて説明する。図中、図１〜図６と同符号は、同一のものを示す。
【００３１】
前記の実施形態１に係るクリップ３は、第１種てこの原理を利用するものであって、本実施形態に係るクリップ３００は、第３種てこの原理を利用するものである。すなわち、作用点は、前記の実施形態１に係るクリップ３と同様に、第１部材１の上フランジ部５の傾斜下面に当接する締め板１１の一端部の上面（当接部１５の当接面）である。支点は、支点用のボルト１２に装着されている下側のワッシャ１９に当接する締め板１１の他端部の下面である。力点は、作用点と支点との間であって、力点用のボルト１４に装着されているワッシャ２２に当接する締め板１１の中央部の下面である。
【００３２】
支点用のボルト１２には、下側のナット１３およびロックナット１８およびワッシャ１９およびスプリングワッシャ２０以外に、上側のナット１３およびロックナット１８およびワッシャ１９およびスプリングワッシャ２０が装着されている。この上側のナット１３およびロックナット１８およびワッシャ１９およびスプリングワッシャ２０は、力点用のボルト１４をねじ込んで、力点の締め板１１の中央部が実線矢印Ａ方向に回転する際に、支点の締め板１１の他端部の上面が上側のナット１３のワッシャ１９に当接して、支点の締め板１１の他端部が実線矢印Ａ方向と同方向に回転もしくは移動しないように構成するものである。
【００３３】
本実施形態２に係るクリップおよびエレベータ用装置機器の設置構造は、前記の実施形態１に係るクリップおよびエレベータ用装置機器の設置構造とほぼ同様の作用効果を達成することができる。すなわち、力点用のボルト１４をねじ込むと、締め板１１の他端部の支点用のボルト１２およびナット１３などを支点として、締め板１１の中央部の力点用のボルト１４などが力点として実線矢印Ａ方向に回転する。これに伴って、締め板１１の一端部の当接部１５が作用点として実線矢印Ｂ方向に回転する。この結果、てこ（第３種てこ）の原理により、第２部材２の取付部８とクリップ３の締め板１１の当接部１５とが第１部材１の上フランジ部５を上下から挟み込む。これにより、第２部材２がクリップ３を介して第１部材１に簡単にかつ確実に取り付けることができる。
【００３４】
「変形例」
なお、前記の実施形態１、２においては、第１部材１がＩ形鋼からなり、第２部材２が角形の中空状の鋼管からなるものである。ところが、第１部材１としてＩ形鋼以外の部材であっても良いし、第２部材２として角形の中空状の鋼管以外の部材であっても良い。
【００３５】
以上で説明した実施形態１、２、変形例に係るクリップおよびエレベータ用装置機器の設置構造によれば、第１部材に第２部材を簡単にかつ確実に取り付けることができる。
【００３６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３７】
１  第１部材
２  第２部材
３、３００  クリップ
４  構造部材
５  フランジ部
６  ウェブ部
７  装置機器
８  取付部
９  透孔
１０  補強部
１１  締め板
１２  支点用のボルト
１３  支点用のナット
１４  力点用のボルト
１５  当接部
１６  挿通孔
１７  ねじ孔
１８、２１  ロックナット  
１９、２２  ワッシャ
２０、２３  スプリングワッシャ
【図１】
2012184058.tif 000003
【図２】
2012184058.tif 000004
【図３】
2012184058.tif 000005
【図４】
2012184058.tif 000006
【図５】
2012184058.tif 000007
【図６】
2012184058.tif 000008
【図７】
2012184058.tif 000009
【図８】
2012184058.tif 000010